(57)【特許請求の範囲】
【請求項１】
映像信号が供給されると共に、上記映像信号の表示位置を制御する制御信号が供給されて上記映像信号の表示を行い、上記調整を行うための所定の上記映像信号を発生する手段を有する表示装置の調整方法であって、
上記映像信号が少なくともフィールドごとに反転されて上記表示装置に供給されている場合に、
上記調整を行うための映像信号を少なくとも上記フィールドごとに白レベル及び黒レベルが交互にされた第１の領域と上記白レベル及び黒レベルの位相が逆にされた第２の領域とで形成し、
これらの第１及び第２の領域の表示が等しくなるように調整する
ことを特徴とする表示装置の調整方法。
【請求項２】
請求項１記載の表示装置の調整方法において、
上記映像信号がさらに水平ラインごとに反転されて上記表示装置に供給されている場合に、
上記第１及び第２の領域の表示期間は上記水平ラインごとの反転を禁止した
ことを特徴とする表示装置の調整方法。
【発明の詳細な説明】
【０００１】
【発明の属する技術分野】
本発明は、例えばＶＣＲ一体型のビデオカメラ装置でのビューファインダ装置等に使用される、例えば液晶表示素子を用いた表示装置等に使用して好適な表示装置の調整方法に関するものである。
【０００２】
【従来の技術】
例えばＶＣＲ一体型のビデオカメラ装置でのビューファインダ装置等に使用される表示装置においては、表示画像のコントラストやブライト、ホワイトバランス、さらにいわゆるガンマ補正の特性等の調整が行われる。また、表示装置が液晶表示素子を用いた装置である場合には、共通電極に印加される電位ＶＣＯＭを供給される映像信号の中点電位とする調整や、駆動のためのクロック周波数の調整等も行われるものである。
【０００３】
ところがこのような調整を行う場合に、従来は調整のための信号源や、検査測定のための治具等の外部の装置が必要であり、これらによって検査調整に掛かる時間や費用が大きくなる。またこれらの検査調整のために、外部の装置とつなぐ回路や端子なども必要とされ、これらの回路や端子等を設けるための製造コストの増加や、設置スペースの増加による設計の自由度の減少、装置の小型軽量化への障害等の問題も生じるものであった。
【０００４】
【発明が解決しようとする課題】
この出願はこのような点に鑑みて成されたものであって、解決しようとする問題点は、従来の装置では外部に調整のための信号源や検査測定のための治具等の装置が必要であり、検査調整に掛かる時間や費用が大きくなると共に、回路や端子等を設けるために製造コストの増加や、装置の小型軽量化への障害等の問題も生じるというものである。
【０００５】
【課題を解決するための手段】
このため本発明においては、調整を行うための所定の映像信号を発生する手段を設けるようにしたものであって、これによれば、調整のための信号源の装置等を外部から接続するなどの必要がなく、簡単な構成で表示装置の調整を行うことができる。
【０００６】
【発明の実施の形態】
すなわち本発明は、映像信号が供給されると共に、映像信号の表示位置を制御する制御信号が供給されて映像信号の表示を行い、調整を行うための所定の映像信号を発生する手段を有する表示装置の調整方法であって、映像信号が少なくともフィールドごとに反転されて表示装置に供給されている場合に、調整を行うための映像信号を少なくともフィールドごとに白レベル及び黒レベルが交互にされた第１の領域と上記白レベル及び黒レベルの位相が逆にされた第２の領域とで形成し、これらの第１及び第２の領域の表示が等しくなるように調整する。
【０００７】
【実施例】
以下、図面を参照して本発明を説明するに、図１は本発明による表示装置の調整方法を適用した表示装置の使用されたＶＣＲ一体型のビデオカメラ装置の一例の構成を示すブロック図である。
【０００８】
図１において、例えば被写体からの映像光がレンズ系（図示せず）等を介して撮像素子１に照射される。そしてこの撮像素子１で電気信号に変換されたアナログ映像信号が、ＡＤ変換器２に供給されてデジタル映像信号に変換される。さらにこの変換されたデジタル映像信号がカメラ信号処理部３に供給され、各種のビデオカメラ用の信号処理が行われたデジタル輝度／色差信号がデジタルバス４に出力される。
【０００９】
このデジタルバス４からのデジタル輝度信号が、輝度信号処理部５を通じて記録媒体の記録形式等に応じて信号の変換を行う記録再生部６に供給され、記録媒体７への記録が行われる。また、輝度信号処理部５に内蔵のＤＡ変換器で変換されたアナログ輝度信号が、信号レベルや出力インピーダンスの変換等を行うモニタ入出力部８に供給されて外部（図示せず）に取り出される。
【００１０】
またデジタルバス４からのデジタル色差信号が、色差信号処理部９を通じて記録媒体の記録形式等に応じて信号の変換を行う記録再生部６に供給され、記録媒体７への記録が行われる。また、色差信号処理部９に内蔵のＤＡ変換器で変換されたアナログ色差信号が、信号レベルや出力インピーダンスの変換等を行うモニタ入出力部８に供給されて外部に取り出される。
【００１１】
さらに再生時には、例えば記録媒体７から再生されたデジタル輝度／色差信号が、それぞれ記録再生部６を通じて輝度信号処理部５及び色差信号処理部９に供給される。そしてこれらの処理されたデジタル輝度／色差信号が、それぞれデジタルバス４に出力されると共に、それぞれ内蔵のＤＡ変換器で変換されたアナログ色差信号がモニタ入出力部８に供給されて外部に取り出される。
【００１２】
また上述のモニタ入出力部８には、外部（図示せず）からのアナログまたはデジタルの映像（輝度／色差）信号が供給される。ここでこのモニタ入出力部８に供給された映像信号がデジタルの場合には、これらのデジタル輝度／色差信号がそれぞれ輝度信号処理部５及び色差信号処理部９に供給される。そして処理されたデジタル輝度／色差信号が記録再生部６を通じて記録媒体７に記録される。
【００１３】
さらにモニタ入出力部８に供給された映像信号がアナログの場合には、このモニタ入出力部８からのアナログ映像信号がＡＤ変換器２に供給され、変換されたデジタル映像信号がカメラ信号処理部３を通じてデジタルバス４に出力される。そしてこのデジタルバス４からのデジタル輝度／色差信号がそれぞれ輝度信号処理部５及び色差信号処理部９に供給され、処理されたデジタル輝度／色差信号が記録再生部６を通じて記録媒体７に記録される。
【００１４】
そしてさらに上述の輝度信号処理部５からのデジタル輝度信号と、色差信号処理部９からのデジタル色差信号とが表示用信号処理部１０に入力される。この表示用信号処理部１０では、供給されたデジタル輝度／色差信号が任意のＤＡ変換器等を含む信号処理回路１０ａに供給される。そしてこの処理されたデジタル映像信号が所定の液晶表示信号のレベルへの増幅や、後述する交流反転等を行う液晶用信号処理回路１０ｂを通じてビューファインダ部１１に供給される。
【００１５】
また、この表示用信号処理部１０に内蔵されるタイミング発生回路１０ｃからの制御信号がビューファインダ部１１に供給される。そしてこのビューファインダ部１１では、この制御信号に従って上述の液晶用信号処理回路１０ｂからの映像信号をそれぞれの対応する画素に表示するための制御（図示せず）が行われる。これによって上述の撮像素子１で撮像、記録媒体７から再生、若しくはモニタ入出力部８に供給された映像信号がビューファインダ部１１に表示される。
【００１６】
そしてこの装置において、表示用信号処理部１０の中に、上述した各種の調整を行うための所定の映像信号を発生する信号発生回路１０ｄが設けられる。この信号発生回路１０ｄからの信号が信号処理回路１０ａに供給され、上述の輝度信号処理部５及び色差信号処理部９からの信号と同様に処理されて、液晶用信号処理回路１０ｂを通じてビューファインダ部１１に供給される。
【００１７】
これによってこの装置において、例えばホワイトバランスの調整を行う場合には、上述の信号発生回路１０ｄから例えば均一な白画面を形成する信号が発生されて、この信号が信号処理回路１０ａに供給される。そしてこの信号が液晶用信号処理回路１０ｂを通じてビューファインダ部１１に表示されることによって、この表示される画面のホワイトバランスの調整を行うことができる。
【００１８】
またこの装置において、例えばビューファインダ部１１の液晶表示素子の共通電極に印加される電位ＶＣＯＭを、供給される映像信号の中点電位とする調整を行う場合には、例えば図２のタイミングチャートに示すような手順によって調整が行われる。なお電位ＶＣＯＭは、例えば液晶用信号処理回路１０ｂから映像信号を並列にビューファインダ部１１に供給されているものである。
【００１９】
ここで液晶表示素子においてはいわゆる反転駆動が採用される。すなわち液晶表示素子の各画素に供給される映像信号は、例えばフィールドごと及びラインごとに、共通電極に印加される電位ＶＣＯＭに対して正負となるように交流反転が行われている。その場合に、電位ＶＣＯＭが映像信号の中点電位に一致していないと、フリッカーや残像、画面の焼き付き等の問題が生じるものである。
【００２０】
そこで図２において、上述のフィールド及びラインごとの交流反転で生じる２種類の画素▲１▼、▲２▼に着目したときに、これらの画素に印加される映像信号は、例えば同図のＡに示すようになっている。これに対して上述の信号発生回路１０ｄから、例えば同図のＢに示すようなフィールドごとに白／黒に反転する信号が発生されて信号処理回路１０ａに供給される。
【００２１】
これによって上述の各画素▲１▼、▲２▼では、それぞれ例えば同図のＣ、Ｄに示すように共通電極の電位ＶＣＯＭに対して正負となるように交流反転が行われるが、このとき例えば同図のＣに示すように電位ＶＣＯＭが正しいものであるときは画素▲１▼、▲２▼の明るさは等しくなる。ところが、例えば同図のＤに示すように電位ＶＣＯＭが供給される映像信号の中点電位からずれていると、液晶の非線形特性のために画素▲１▼、▲２▼の明るさが異なることになる。
【００２２】
そこでこれらの画素▲１▼、▲２▼の明るさが等しくなるように、例えば液晶用信号処理回路１０ｂからビューファインダ部１１に供給される電位ＶＣＯＭを調整することによって、電位ＶＣＯＭを供給される映像信号の中点電位に一致させることができる。これによって上述の表示画像のフリッカーや残像、画面の焼き付き等の問題を解消することができるものである。
【００２３】
さらに例えば画面上に図３に示すような画像を形成し、例えば図中の領域▲１▼には上述の画素▲１▼のように映像信号を供給し、図中の領域▲２▼には上述の画素▲２▼のように映像信号を供給する。また領域▲３▼には中間の灰色が表示されるようにする。そしてこれらの領域▲１▼〜▲３▼の明るさが等しくなるように調整することによって、上述の電位ＶＣＯＭの調整を行うことができる。
【００２４】
なお上述の表示画像の中で、中間の灰色が表示される領域▲３▼は必ずしも設けなくても良いものであるが、例えばこの領域▲３▼に目標となる明るさを設けることによって、電位ＶＣＯＭのずれの量を推定することができ、これによって調整に要する時間を短縮することができる。
【００２５】
また上述の図３の画像において、実際にはラインごとの反転が行われることによって領域▲１▼、▲２▼では画素▲１▼と▲２▼がラインごとに交互に表示されることになる。そこで上述の調整を行う場合には、例えば領域▲１▼、▲２▼の範囲において液晶用信号処理回路１０ｂでの交流反転を禁止することによって、上述の図３の画像を実現し、良好な電位ＶＣＯＭの調整が行われるようにすることができる。
【００２６】
すなわち上述の表示用信号処理部１０において、タイミング発生回路１０ｃからは液晶用信号処理回路１０ｂに対しても、映像信号の交流反転を行うための制御信号が供給されている。そこでこの制御信号の駆動条件を任意に設定することによって、例えば領域▲１▼、▲２▼の範囲において液晶用信号処理回路１０ｂでの交流反転を禁止することができる。
【００２７】
従ってこの装置において、調整を行うための所定の映像信号を発生する手段を設けることによって、調整のための信号源の装置等を外部から接続するなどの必要がなく、簡単な構成で表示装置の調整を行うことができる。またこの装置において、さらに調整を行うための所定の制御信号の駆動条件を設けたことによって、必要な調整のための画像を容易に形成することができるものである。
【００２８】
これによって、従来の装置では外部に調整のための信号源や検査測定のための治具等の装置が必要であり、検査調整に掛かる時間や費用が大きくなると共に、回路や端子等を設けるために製造コストの増加や、装置の小型軽量化への障害等の問題も生じるという問題点があったものを、本発明によればこれらの問題点を容易に解消することができるものである。
【００２９】
なお上述の装置において、例えば領域▲１▼、▲２▼に一定以上の面積を持たせることによって、例えば光学測定器を用いて測定を行う場合にも安定な測定を実現することができる。すなわち領域▲１▼、▲２▼として、例えば光学測定器の測定面より広い面積を持たせることで安定な測定を実現することができるものである。
【００３０】
さらに本発明の表示装置の調整方法においては、例えば上述の液晶用信号処理回路１０ｂにおいて、表示画像のコントラストやブライト等の調整が行われる。すなわち液晶用信号処理回路１０ｂには、例えば図４に示すようにコントラストやブライト等の調整を行う増幅器４１と、液晶表示素子の印加電圧に対する透過率の特性を補正するいわゆるガンマ補正回路４２が設けられている。
【００３１】
そこで上述の信号発生回路１０ｄからは、例えば図５に示すような階段状に変化される映像信号が発生されて信号処理回路１０ａに供給される。これによって上述の増幅器４１で、例えば映像信号のボトム値（黒レベル）を変化させることによってブライトの調整が行われ、振幅を変化させることによってコントラストの調整が行われるものである。
【００３２】
しかしながらこの場合に、上述のガンマ補正回路４２では、例えば図６のＡに示すような液晶表示素子の印加電圧に対する透過率の特性に対して、例えば同図のＢに示すような入出力特性が与えられている。ここで増幅器４１とガンマ補正回路４２は同じＩＣ内に形成されているものであり、出力信号はガンマ補正回路４２の後段のみで取り出されるものである。
【００３３】
従って上述のコントラストやブライト等の調整を行う場合にも、このガンマ補正回路４２を通過した信号が取り出されることになる。このため従来の装置で、上述のコントラストやブライト等の調整を行う際には、このガンマ補正回路４２の非線形特性によって調整に対する変化率が一定でなくなり、調整に要する時間が多く掛かってしまう問題があった。
【００３４】
これに対しては、上述のガンマ補正回路４２の入出力特性を、例えば図６のＣに示すように直線に切り換えることによって、上述の問題を解消することができる。さらにこのガンマ補正回路４２の入出力特性を、例えば同図のＤに示すように低レベル側の折れ点以下をクリップしてブライトの調整を行うことにより、入力信号のどの点にこの折れ点を設定するかの調整を行うこともできる。
【００３５】
さらに上述の液晶用信号処理回路１０ｂには、例えば図７に示すように信号レベルを一定にする増幅器７１と可変増幅器７２と検波器７３とを組み合わせて、入力レベルが小のときに増幅率を大にし、入力レベルが大のときに増幅率を小にして、入力レベルの変化に対する出力レベルの変化を小さくする機能を果たしているものがある。このような構成において増幅器７１の調整を行う場合にも、上述の機能を無効して調整を効率的に行うことができる。
【００３６】
また上述の表示装置の調整方法において、例えばＶＣＲ一体型のビデオカメラ装置では、内部の各種の信号処理の制御や、モーターその他の制御を行うためのマイクロコンピュータ１２が内蔵されている場合がある。その場合に、このマイクロコンピュータ１２には例えば外部との通信手段が設けられている。
【００３７】
そこでこのようなマイクロコンピュータ１２が内蔵されている場合に、上述の各種の調整等における信号発生回路１０ｄから発生される映像信号の設定や、タイミング発生回路１０ｃから発生される制御信号の設定、さらに液晶用信号処理回路１０ｂでの回路の切り換え等の設定は、このマイクロコンピュータ１２と外部との通信手段を用いて容易且つ任意に行うことができる。
【００３８】
さらにこのようなマイクロコンピュータ１２が内蔵されている場合に、例えば図８に示すように液晶用信号処理回路１０ｂやタイミング発生回路１０ｃから発生される信号をマイクロコンピュータ１２に供給する。そしてこのマイクロコンピュータ１２に内蔵されるＡＤ変換器を用いてこれらの信号の測定し、これらの信号の調整を行うことができる。
【００３９】
すなわち上述の表示装置の調整方法において、例えば液晶用信号処理回路１０ｂでのブライトの調整や、タイミング発生回路１０ｃでの発振周波数の調整は、必ずしもビューファインダ部１１で画像を測定しなくても、これらの回路からの出力信号を測定することで調整を行うことができる。
【００４０】
そこで上述のようにこれらの回路１０ｂ、１０ｃから発生される信号をマイクロコンピュータ１２に供給することによって、これらの信号の調整を自動で行うことができる。またこれらの調整の終了は、例えばマイクロコンピュータ１２と外部との通信手段を用いて外部に出力することができるものである。
【００４１】
なお上述の表示装置の調整方法において対象とされる表示装置は、上述の液晶表示素子を用いた表示装置に限らず、その他の表示素子を用いた表示装置や、陰極線管を用いた表示装置にも適用できるものである。
【００４２】
こうして上述の表示装置の調整方法は、映像信号が供給されると共に、映像信号の表示位置を制御する制御信号が供給されて映像信号の表示を行う方法であって、調整を行うための所定の映像信号を発生する手段を有することにより、調整のための信号源の装置等を外部から接続するなどの必要がなく、簡単な構成で表示装置の調整を行うことができるものである。
【００４３】
【発明の効果】
従って請求項１の発明によれば、調整を行うための所定の映像信号を発生する手段を設けることによって、調整のための信号源の装置等を外部から接続するなどの必要がなく、簡単な構成で表示装置の調整を行うことができる。またこの装置において、さらに調整を行うための所定の制御信号の駆動条件を設けたことによって、必要な調整のための画像を容易に形成することができるものである。
【００４４】
これによって、従来の装置では外部に調整のための信号源や検査測定のための治具等の装置が必要であり、検査調整に掛かる時間や費用が大きくなると共に、回路や端子等を設けるために製造コストの増加や、装置の小型軽量化への障害等の問題も生じるという問題点があったものを、本発明によればこれらの問題点を容易に解消することができるものである。
【図面の簡単な説明】
【図１】本発明の調整方法の適用される表示装置の一例の構成図である。
【図２】その動作の説明のための図である。
【図３】その説明のための図である。
【図４】その説明のための図である。
【図５】その説明のための図である。
【図６】その説明のための図である。
【図７】その説明のための図である。
【図８】本発明の調整方法の適用される表示装置の他の例の構成図である。
【符号の説明】
１…撮像素子、２…ＡＤ変換器、３…カメラ信号処理部、４…デジタルバス、５…輝度信号処理部、６…記録再生部、７…記録媒体、８…モニタ入出力部、９…色差信号処理部、１０…表示用信号処理部、１０ａ…信号処理回路、１０ｂ…液晶用信号処理回路、１０ｃ…タイミング発生回路、１０ｄ…信号発生回路、１１…ビューファインダ部、１２…マイクロコンピュータ
【図１】
0003815008.tif 000002
【図２】
0003815008.tif 000003
【図３】
0003815008.tif 000004
【図４】
0003815008.tif 000005
【図５】
0003815008.tif 000006
【図６】
0003815008.tif 000007
【図７】
0003815008.tif 000008
【図８】
0003815008.tif 000009